(57)【要約】【目的】眼科装置アゴ台に設置された位置検出機構付のマスクを通して測定することにより、人眼の装置に対する前後左右上下方向の位置検出を簡便にする。【構成】眼科装置アゴ台に固定された両眼用マスクをもち、そのマスクは常にある一定の位置にあり、かつ左右上下前後を検知できるような発光体を所有しているため、装置は容易に人眼の位置を検知できる。また両眼の眼幅を調整できるようなスライド機構もあり、検査者に要求される操作性が極めて限定でき信頼度があがり、かつコストダウンにもなる。【選択図】      図１
2004223196.tif 000002
【特許請求の範囲】
【請求項１】
眼の観察、測定、手術等を行う眼科用光学装置における被検者の顔を載せて固定するアゴ台に、両眼用の孔があけられたマスクが付加されたアゴ台。
【請求項２】
両眼用マスクが、眼科用光学装置がマスクの中心位置、左右眼用孔位置を検出し、左右判別ができるような機能がつけられたマスクであることを特長とした請求項１に記載のアゴ台。
【請求項３】
被検者の瞳孔間距離に応じてマスクの瞳孔間距離調節が可能となる機構が付加されたことを特長とした請求項１に記載のアゴ台。
【発明の詳細な説明】
【０００１】
【産業上の利用分野】
眼科／眼鏡分野における人眼の測定用光学装置において、人眼に対する装置のアライメントに関するものである。
【０００２】
【従来技術】
被検者眼を観察／測定／手術するための眼科用光学装置においては、被検者の眼の位置を装置の照準口に合せるのが重要な機能の一つである。顔を固定するアゴ台といわれる機構では、顎を載せただけでは、顔の大きさ、ゆがみ、回転等により、同じ位置に被検者眼をもってくることは不可能であった。つまり眼の瞳孔間距離、上下位置、前後位置の３次元で被検者の眼と装置の照準口を合せる必要があった。従来は被検者をアゴ台にのせ、検者が装置内蔵の撮像装置で被検者眼を見ながらジョイスティックという操縦棒で合せていた。また、オートアライメントといって、特定光線を被検者眼に照射し、その角膜からの反射光を装置内蔵の照準受光機能で検知し、手動によるアライメントのための指標を出したり、モーター等で装置を基準位置まで自動で合せる方式もいくつか実現されている。
【０００３】
【発明が解決しようとする課題】
本発明の目的は、被検者の顔をアゴ台に載せた時に被検者眼が装置照準口と位置ズレを少なくなる方法を示すことであり、これにより、アライメントにかける時間を減らすことができ、また照準の自動化への方向も示すことができるのである。
【０００４】
【課題を解決するための手段】
眼の観察、測定、手術等を行う眼科用光学装置において、被検者の顔を載せて固定するアゴ台に、両眼用のマスクを付加し、被検者眼がそのマスクの孔から見えるように誘導する機構のついたアゴ台を提供する。また、眼科用光学装置がマスクの中心位置、左右眼用孔位置を検出し、左右判別ができるような機能をマスクに付加することで装置がその位置をできる。同様に被検者の瞳孔間距離に応じて瞳孔間距離の調節が可能となる機構を付加することで、瞳孔間距離の違いも調整でき、より早くかつ精度の高い照準が実現できるのである。
【０００５】
【作用】
眼科用光学装置がその機能を果すためには、被検者の角膜中心付近に装置の照準口を合わせなければいけない。本発明では、従来装置側でもっていた照準機能の一部を装置外のマスクで持たせることを特長としている。マスク上の照準点を装置で検知することで、従来の被検者眼からの反射光検知よりもより効率的に速くその位置を知ることができるのである。この照準点となる発光源の位置はマスクの角膜相当位置の上下の両方あるいはどちらかにつけられ、その発光源の位置をここでは詳説しない装置側の受光光学系で検知し、すばやく装置を手動であるいは自動で可動させるのである。また、被検者の顔のアゴ台への導きであるが、これは、予めの位置におかれたマスクの両眼孔位置に被検者が自らの両眼で覗けるように額を当て次にアゴ台を上下させて顔を固定するのである。また発光源には左右の判別ができるように左右で個数、位置、あるいは発光時間、発光周期、発光波長等を変化させるなどの工夫も加えることができる。
【０００６】
マスク上の特定位置を示すためには、上記で説明した発光源を置くこと以外にも、装置側で認識できるようなパターンをつけることも可能である。また、ミラーなどの反射物を埋め込み、そこからの反射光を拾うことで位置認識が可能になる。また、マスクがアゴ台に固定され、被検者の眼の高さがほぼ一定になるため装置に要求される上下動の可動範囲もほぼ数ｍｍにおさえることができる。
【０００７】
【実施例】
実施零１：以下、本発明の機構の実施形態について、図面を参照しつつ記述する。図１はマスク付アゴ台を被検者側から見た正面模式図である。被検者はマスク両眼用孔６から覗くように額を額当て１にあて、次に顔を固定するために顎をアゴ載せ台３に載せアゴ載せ台の上下動調節部３を上下させるのである。図２は被検者の顔が固定された状態の図を示し、この時点で被検者の眼の位置と装置の光軸高さ、前後距離はほぼ決められた位置に等しくなる。あとは装置内に収められたマスク位置認識手段によりきっちりとした位置に装置を移動するのである。図３は例として挙げたマスク上の発光源（７１〜７４）の設置を示している。左右の孔の上下にいくつかの発光源が描いてあるが、そのうちのいくつかを使用することで左右判別とマスク孔位置の中心位置判別ができるようになっている。図４は同じくマスク上に発光源ではなくミラー等の反射物体（７５〜７８）を埋め込んだもので、装置側からの照射のこの反射物体からの反射位置を検知することで発光源と同等な効果を得ることを示している。
【０００８】
実施例２：図５はマスク上に、瞳孔間距離に合わせて両眼用の孔位置を左右対称にスライド移動できる機構を示している。瞳孔間距離は人により違いがあるが、その範囲は５０ｍｍから８０ｍｍ位と限定されているため片眼１５ｍｍ位まで動かせる機構が追加された図を示している。
【０００９】
【発明の効果】
本発明は、固定されかつその位置認識のための発光源を付加したマスクを眼科用光学装置のアゴ台につけることにより被検者の両眼位置を特定でき、簡単にかつすばやく装置を被検者両眼に位置に照準ができることを示した。これにより、検査者が左右眼合せ、高さ合せ、前後合せの操作から開放され測定作業だけに専念できるのである。また、装置側にも予めマスク位置が固定されているため、装置の可動範囲は狭い範囲に限定でき、機構の省力化、装置の縮小化が実現でき、持ち運びに有利なかつコストの低い装置が実現できるのである。本明細書ではマスクという機構を用いたが、たとえば人顔に直接目印となる媒体を付加する方法も可能である。
【図面の簡単な説明】
【図１】本発明のマスク付アゴ台を被検者側から見た正面図
【図２】マスク付アゴ台を用いた装置の側面図
【図３】発光源を有したマスクの実施例
【図４】反射物を有したマスクの実施例
【図５】左右移動できるマスクの実施例
【符号の説明】
１        アゴ台の額当て
２        アゴ台の支柱
３        アゴ載せ台
４        アゴ載せ台の上下動調節部
５        マスク
６        両眼用測定孔
７        発光源
８        発光源
１０      眼科用光学装置
１１      装置の照準口
７１      右眼用発光源
７２      マスク中心用発光源
７３      左眼用発光源
７４      マスク下段発光源
７５      右眼用反射物
７６      マスク中心用反射物
７７      左眼用反射物
７８      マスク下段反射物
７９      片眼用マスク（発光源付）
８０      スライドレール
【図１】
2004223196.tif 000003
【図２】
2004223196.tif 000004
【図３】
2004223196.tif 000005
【図４】
2004223196.tif 000006
【図５】
2004223196.tif 000007